(57)【特許請求の範囲】
【請求項１】
ＬＥＤと、このＬＥＤの光を配光制御するレンズと、このレンズからの光が周囲に広がらないように遮光する遮光ルーバとを備えた照明器具において、
前記照明器具の器具本体の内部の上段位置に、取付けプレートが設置され、この取付けプレートに、基板に実装されたＬＥＤが固定されて、下向きに発光するようになっており、
前記器具本体の内部の中段位置に、前記ＬＥＤの光を配光制御するレンズが配置されるとともに、器具本体内部の下段位置には、レンズからの光が周囲に広がらないように遮光する遮光ルーバが配置されており、
前記レンズは、球体の上半分だけのような半球状に形成されて、上中心部には、前記ＬＥＤの光を配光制御するための凸部と、この凸部の周囲の凹部とが形成され、前記レンズの下面はフラットな平面部に形成されていて、
前記遮光ルーバは、レンズの平面部に接するようになっており、
前記レンズは透明アクリル製であり、前記遮光ルーバは不透明アクリル製であって、前記レンズと遮光ルーバとは二重成形で一体形成されていることを特徴とする照明器具。
【発明の詳細な説明】
【技術分野】
【０００１】
本発明は、照明器具に関する。
【背景技術】
【０００２】
従来、ＬＥＤを配設した配線基板の前面に、マスク板と凸レンズと遮光ルーバとを接着して一体化したものがある（特許文献１参照）。
【０００３】
ところで、ＬＥＤの光を配光制御するレンズが設けられていても、一部の光はレンズ内部で屈折して目的としない方向に照射されることで、グレア（まぶしさ感やぎらぎら感）を与えることがある。
【０００４】
これを防止するために、遮光ルーバでレンズからの光が周囲に広がらないように遮光するようにしている。
【特許文献１】特開平８−１８５１３０号公報
【発明の開示】
【発明が解決しようとする課題】
【０００５】
しかしながら、背景技術では、遮光ルーバを別体で成形したうえに、それをレンズに接着しなければならないから、製造コストが高くなるととともに、遮光ルーバの接着剥離の不安が残るという問題があった。
【０００６】
本発明は、前記問題を解消するためになされたもので、製造コストがきわめて安く、遮光ルーバの接着剥離の不安も無い照明器具を提供することを目的とするものである。
【課題を解決するための手段】
【０００７】
前記課題を解決するために、本発明は、ＬＥＤと、このＬＥＤの光を配光制御するレンズと、このレンズからの光が周囲に広がらないように遮光する遮光ルーバとを備えた照明器具において、前記照明器具の器具本体の内部の上段位置に、取付けプレートが設置され、この取付けプレートに、基板に実装されたＬＥＤが固定されて、下向きに発光するようになっており、前記器具本体の内部の中段位置に、前記ＬＥＤの光を配光制御するレンズが配置されるとともに、器具本体内部の下段位置には、レンズからの光が周囲に広がらないように遮光する遮光ルーバが配置されており、前記レンズは、球体の上半分だけのような半球状に形成されて、上中心部には、前記ＬＥＤの光を配光制御するための凸部と、この凸部の周囲の凹部とが形成され、前記レンズの下面はフラットな平面部に形成されていて、前記遮光ルーバは、レンズの平面部に接するようになっており、前記レンズは透明アクリル製であり、前記遮光ルーバは不透明アクリル製であって、前記レンズと遮光ルーバとは二重成形で一体形成されていることを特徴とする照明器具を提供するものである。
【発明の効果】
【０００９】
本発明によれば、透明な合成樹脂製のレンズと、不透明な合成樹脂製の遮光ルーバとを二重成形で一体形成したものであるから、別々に製造する工程やそれらを接着する工程が不要になるので、製造コストがきわめて安くなるとともに、遮光ルーバの接着剥離の不安も無くなる。
【００１０】
また、レンズと遮光ルーバは同じアクリル系であるので、相互の密着性が良好になり、耐剥離性がより向上するようになる。
【発明を実施するための最良の形態】
【００１１】
以下、本発明を実施するための最良の形態について、図面を参照しながら詳細に説明する。
【００１２】
図１に示すように、照明器具１の器具本体２の内部の上段位置には、取付けプレート３が設置されて、この取付けプレート３には、基板４に実装されたＬＥＤ（Ｌｉｇｈｔ  Ｅｍｉｔｔｉｎｇ  Ｄｉｏｄｅ）５が固定されて、下向きに発光するようになっている。
【００１３】
器具本体２の内部の中段位置には、ＬＥＤ５の光を配光制御するレンズ６が配置されるとともに、器具本体２の内部の下段位置には、レンズ６からの光が周囲に広がらないように遮光する遮光ルーバ７が配置されている。
【００１４】
レンズ６は透明な合成樹脂製であり、遮光ルーバ７は不透明な合成樹脂製であって、レンズ６と遮光ルーバ７とは、成形時に二重成形で一体形成されている。ここで、二重成形とは、同一の金型において、異なる種類の合成樹脂で異なる部位を同時に一体成形する技術であって、二色成形とも呼ばれている。
【００１５】
本実施形態では、レンズ６は透明アクリル製とし、遮光ルーバ７は不透明アクリル製としているが、これに限られるものではない。
【００１６】
レンズ６は、球体の上半分だけのような半球状に形成されて、上中心部には、ＬＥＤ５の光を配光制御するための凸部６ａと、この凸部６ａの周囲の凹部６ｂとが形成されている。このレンズ６の下面はフラットな平面部６ｃに形成されている。
【００１７】
また、遮光ルーバ７は、レンズ６の平面部６ｃに接するとともに、平面部６ｃの外周に一致するリング部７ａを有している。そして、このリング部７ａ内には、同心円状に大小複数個（本例では２個）のリング部７ｂ，７ｃが形成されている。
【００１８】
この遮光ルーバ７の各リング部７ａ〜７ｃは、レンズ６の成形時に、レンズ６の下面と融着結合状態で一体成形されることになる。
【００１９】
遮光ルーバ７は、リング部７ｂ，７ｃに代えて、図２に示すように、リング部７ａ内に、長短複数個（本例では４個）の平行仕切り部７ｄ〜７ｇを形成することもできる。同様に、図３に示すように、リング部７ａ内に、縦横に長短複数個（本例では８個）の格子状仕切り部７ｄ〜７ｇ、７ｈ〜７ｋを形成することもできる。
【００２０】
レンズ６と遮光ルーバ７との一体成形体は、具体的に図示しないが、ＬＥＤ５と位置合わせした状態で基板４に取付けられている。
【００２１】
図４に示すように、ＬＥＤ５と、レンズ６と遮光ルーバ７との一体成形体は、横並びで一定の間隔を隔てて、例えば１２個を１組としてユニット化され、照明器具１として天井や壁面等に取付けられるようになる。
【００２２】
前記のように照明器具１を構成すれば、透明な合成樹脂製のレンズ６と、不透明な合成樹脂製の遮光ルーバ７とを二重成形で一体形成したものであるから、別々に製造する工程やそれらを接着する工程が不要になるので、製造コストがきわめて安くなるとともに、遮光ルーバ７の接着剥離の不安も無くなる。
【００２３】
また、レンズ６と遮光ルーバ７を同じアクリル系とすれば、相互の密着性が良好になり、耐剥離性がより向上するようになる。
【００２４】
前記実施形態では、１個のＬＥＤ５に対して、レンズ６と遮光ルーバ７との一体成形体を１個配置したものであったが、複数個のＬＥＤ５に対して、それに箇々に対応するレンズ６と遮光ルーバ７との一体成形体を集合させるように一体成形した成形体を１個配置することも可能である。
【図面の簡単な説明】
【００２５】
【図１】本発明の実施形態の照明器具であり、（ａ）は断面図、（ｂ）は遮光ルーバの下面図である。
【図２】第１変形例の遮光ルーバの下面図である。
【図３】第２変形例の遮光ルーバの下面図である。
【図４】ＬＥＤと、レンズと遮光ルーバとの一体成形体を横並びでユニット化した照明器具の要部断面図である。
【符号の説明】
【００２６】
１    照明器具
２    器具本体
４    基板
５    ＬＥＤ
６    レンズ
７    遮光ルーバ
【図１】
0004966833.tif 000002
【図２】
0004966833.tif 000003
【図３】
0004966833.tif 000004
【図４】
0004966833.tif 000005